(57)【要約】【課題】  球面収差を高速で効率良く補正すること。【解決手段】  球面収差補正機構３が、光軸Ｏに対して平行するガイドロッド２１及びガイド孔２４を有しスライドベース１に固定されたベース板１５と、球面収差補正レンズ４を支持してガイドロッド２１に移動可能に嵌合するレンズホルダ１６と、リードスクリュ−２７に螺合した状態でガイド孔２４に係合するリードナット１７とを有し、レンズホルダ１６をリードナット１７に押し付けるスラスト与圧ばね３６が設けられ、リードナット１７をガイド孔２４の内側面に押し付けると同時にレンズホルダ１６をガイドロッド２１に押し付けるラジアル与圧ばね３１が設けられており、ステッピングモータ２５でリードスクリュ−２７を正逆回転させることによりリードナット１７及びレンズホルダ１６を介して球面収差補正レンズ４を光軸Ｏに沿って往復移動させる。【選択図】        図２
2008257824.tif 000002
【特許請求の範囲】
【請求項１】
ディスクの半径方向に沿って移動可能なスライドベースに対物レンズとレーザダイオー
ドとを備えた光ピックアップが設けられ、球面収差補正機構により往復移動される球面収
差補正レンズが前記対物レンズとレーザダイオードとの間に配置されており、前記レーザ
ダイオードから球面収差補正レンズ及び対物レンズを通る光軸に沿ってレーザ光をディス
クに投射すると共に、球面収差補正機構により球面収差補正レンズを光軸に沿って往復移
動させて球面収差を補正し、ディスクからの反射光に基づいて該ディスクに記録されてい
る情報を読み取るようにしたディスク装置において、前記球面収差補正機構が、光軸に対
して平行するガイドロッド及びガイド孔を有し前記スライドベースに固定されたベース板
と、前記球面収差補正レンズを支持して前記ガイドロッドに移動可能に嵌合するレンズホ
ルダと、モータにより正逆回転されるリードスクリュ−に螺合した状態で前記ガイド孔に
係合するリードナットとを有し、前記ガイドロッドに遊嵌合して前記レンズホルダをリー
ドナットに押し付けるスラスト与圧ばねが設けられ、リードナットをガイド孔の内側面に
押し付けると同時にレンズホルダをガイドロッドに押し付けるラジアル与圧ばねが設けら
れており、前記モータでリードスクリュ−を正逆回転させることによりリードナット及び
レンズホルダを介して球面収差補正レンズを光軸に沿って往復移動させるようにしたこと
を特徴とするディスク装置。
【請求項２】
前記レンズホルダが、ガイドロッドに移動可能に嵌合するブロック状ホルダ本体と、該
ホルダ本体から両側方に延びる一対の翼板とを有し、その一方の翼板に前記球面収差補正
レンズが取り付けられると共に、その他方の翼板が前記リードナットに対向され、前記ラ
ジアル与圧ばねが板ばねで形成されて頂板と該頂板の側縁から折り曲げた複数の弾性変位
可能な側板とからなるキャップを有し、該キャップから側方に弾性変位可能な弾性アーム
が延ばされており、前記キャップをホルダ本体に被せることにより弾性アームをホルダ本
体とリードナットとに弾性的に押し付けることにより、該リードナットをガイド孔の内側
面に押し付けると同時にレンズホルダをガイドロッドに押し付けるようにしたことを特徴
とする請求項１に記載のディスク装置。
【請求項３】
前記ホルダ本体の側面にフック部が一体突設されると共に、該フック部に対向して前記
キャップの側板にフック孔が貫設され、前記キャップの頂板に所定間隔をおいて形成した
一対のスリット間の弾性変位可能な弾性舌片が折り曲げられて該キャップ内に延ばされて
おり、キャップをホルダ本体に被せてフック孔をフック部に嵌合させると共に、弾性舌片
を該ホルダ本体の頂面に弾性的に押しつけることにより、キャップがホルダ本体に係止さ
れていることを特徴とする請求項２に記載のディスク装置。
【請求項４】
ディスクの半径方向に沿って移動可能なスライドベースに対物レンズとレーザダイオー
ドとを備えた光ピックアップが設けられ、球面収差補正機構により往復移動される球面収
差補正レンズが前記対物レンズとレーザダイオードとの間に配置されており、前記レーザ
ダイオードから球面収差補正レンズ及び対物レンズを通る光軸に沿ってレーザ光をディス
クに投射すると共に、球面収差補正機構により球面収差補正レンズを光軸に沿って往復移
動させて球面収差を補正し、ディスクからの反射光に基づいて該ディスクに記録されてい
る情報を読み取るようにしたディスク装置において、前記球面収差補正機構が、光軸に対
して平行するガイドロッド及びガイド孔を有し前記スライドベースに固定されたベース板
と、球面収差補正レンズを支持するためのレンズホルダと、モータにより正逆回転される
リードスクリュ−に螺合した状態で前記ガイド孔に係合するリードナットとを有し、前記
レンズホルダが、ガイドロッドに移動可能に嵌合するブロック状ホルダ本体と、該ホルダ
本体から両側方に延びる一対の翼板とを有し、その一方の翼板に前記球面収差補正レンズ
が取り付けられると共に、その他方の翼板が前記リードナットに対向され、前記ガイドロ
ッドに遊嵌合して前記レンズホルダをリードナットに押し付けるコイルばね製スラスト与
圧ばねが設けられ、頂板と該頂板の側縁から折り曲げた複数の弾性変位可能な側板とから
なるキャップと、該キャップから側方に延びる弾性変位可能な弾性アームとを有する板ば
ね製ラジアル与圧ばねが設けられ、前記ホルダ本体の側面にフック部が一体突設されると
共に、該フック部に対向して前記キャップの側板にフック孔が貫設され、前記キャップの
頂板に所定間隔をおいて形成した一対のスリット間の弾性変位可能な弾性舌片が折り曲げ
られて該キャップ内に延ばされており、キャップをホルダ本体に被せてフック孔をフック
部に嵌合させると共に、弾性舌片を該ホルダ本体の頂面に弾性的に押し付けることにより
、キャップがホルダ本体に係止され、ラジアル与圧ばねの弾性アームをホルダ本体とリー
ドナットとに弾性的に押し付けることにより、該リードナットをガイド孔の内側面に押し
付けると同時にレンズホルダをガイドロッドに押し付け、前記モータでリードスクリュ−
を正逆回転させることによりリードナット及びレンズホルダを介して球面収差補正レンズ
を光軸に沿って往復移動させるようにしたことを特徴とするディスク装置。
【発明の詳細な説明】
【技術分野】
【０００１】
本発明は、例えばブルーレイ式のＤＶＤプレーヤやＤＶＤレコーダなどのディスク装置
に関し、特に、複数層の記録面を有するディスクにレーザ光を投射して情報を読み取る際
の球面収差を高速で効率良く補正することができるようにしたものである。
【背景技術】
【０００２】
従来、ディスク装置の技術の一例として特許文献１に記載したものがあり、これは、図
８（ａ）の多数のレンズ群のうちの要部だけを示した概略図及び図８（ｂ）のＣ−Ｃ矢視
図に示すように、ディスクＤの半径方向に沿って移動可能なスライドベース１に対物レン
ズＯＬとレーザダイオードＬＤとを備えた光ピックアップ２が設けられ、球面収差補正機
構３により往復移動される球面収差補正レンズ４が対物レンズＯＬとレーザダイオードＬ
Ｄとの間に配置されている。なお、図８（ａ）中、５は立上げミラーである。
【０００３】
図８（ａ）及び（ｂ）に示すように、前記球面収差補正機構３は、スライドベース１に
固定された略Ｌ字状オプトベース７と、球面収差補正レンズ４を支持してオプトベース７
の底面７ａと内側面７ｂとに移動可能に当接する円筒状レンズホルダ８と、オプトベース
７の立上り部上面にビス９により止着されてレンズホルダ８の上面に弾性的に押し付けら
れる板ばね１０と、レンズホルダ８に一体突設したラック１１と、該ラック１１に螺合し
てモータ１２により正逆回転されるウォームギヤ１３とを有している。
【０００４】
情報読取手順を説明すると、レーザダイオードＬＤから球面収差補正レンズ４及び対物
レンズＯＬを通る光軸Ｏに沿ってレーザ光をディスクＤに投射すると共に、モータ１２を
正逆回転させることによりウォームギヤ１３、ラック１１及びレンズホルダ８を介して球
面収差補正レンズ４を光軸Ｏに沿って往復移動させて球面収差を補正し、ディスクＤの各
記録面で反射される反射光に基づいてその各記録面に記録されている情報を読み取り、再
生や録画を行なう。
【特許文献１】特開２００６−１４７０８５号公報
【発明の開示】
【発明が解決しようとする課題】
【０００５】
上記従来の構成では、球面収差補正レンズ４を円滑に往復移動させるためにラック１１
とウォームギヤ１３との間にスラスト方向Ｙ及びラジアル方向Ｘにわずかな隙間を形成し
て遊びが生じるようにしているが、その遊びを実質的にゼロにするものが無いため、モー
タ１２の正逆駆動力がレンズホルダ８に伝達される際にタイムラグが発生し、球面収差の
補正を高速で効率良く行なうことが困難である。
【０００６】
本発明は、上記従来の欠点に鑑み、複数層の記録面を有するディスクにレーザ光を投射
して情報を読み取る際の球面収差を高速で効率良く補正することができるようにしたディ
スク装置を提供することを目的としている。
【課題を解決するための手段】
【０００７】
上記目的を達成するため、請求項１に記載の発明は、ディスクの半径方向に沿って移動
可能なスライドベースに対物レンズとレーザダイオードとを備えた光ピックアップが設け
られ、球面収差補正機構により往復移動される球面収差補正レンズが前記対物レンズとレ
ーザダイオードとの間に配置されており、前記レーザダイオードから球面収差補正レンズ
及び対物レンズを通る光軸に沿ってレーザ光をディスクに投射すると共に、球面収差補正
機構により球面収差補正レンズを光軸に沿って往復移動させて球面収差を補正し、ディス
クからの反射光に基づいて該ディスクに記録されている情報を読み取るようにしたディス
ク装置において、前記球面収差補正機構が、光軸に対して平行するガイドロッド及びガイ
ド孔を有し前記スライドベースに固定されたベース板と、前記球面収差補正レンズを支持
して前記ガイドロッドに移動可能に嵌合するレンズホルダと、モータにより正逆回転され
るリードスクリュ−に螺合した状態で前記ガイド孔に係合するリードナットとを有し、前
記ガイドロッドに遊嵌合して前記レンズホルダをリードナットに押し付けるスラスト与圧
ばねが設けられ、リードナットをガイド孔の内側面に押し付けると同時にレンズホルダを
ガイドロッドに押し付けるラジアル与圧ばねが設けられており、前記モータでリードスク
リュ−を正逆回転させることによりリードナット及びレンズホルダを介して球面収差補正
レンズを光軸に沿って往復移動させるようにしたことを特徴としている。
【０００８】
請求項２に記載の発明は、請求項１に記載の発明において、前記レンズホルダが、ガイ
ドロッドに移動可能に嵌合するブロック状ホルダ本体と、該ホルダ本体から両側方に延び
る一対の翼板とを有し、その一方の翼板に前記球面収差補正レンズが取り付けられると共
に、その他方の翼板が前記リードナットに対向され、前記ラジアル与圧ばねが板ばねで形
成されて頂板と該頂板の側縁から折り曲げた複数の弾性変位可能な側板とからなるキャッ
プを有し、該キャップから側方に弾性変位可能な弾性アームが延ばされており、前記キャ
ップをホルダ本体に被せることにより弾性アームをホルダ本体とリードナットとに弾性的
に押し付けることにより、該リードナットをガイド孔の内側面に押し付けると同時にレン
ズホルダをガイドロッドに押し付けるようにしたことを特徴としている。
【０００９】
請求項３に記載の発明は、請求項２に記載の発明において、前記ホルダ本体の側面にフ
ック部が一体突設されると共に、該フック部に対向して前記キャップの側板にフック孔が
貫設され、前記キャップの頂板に所定間隔をおいて形成した一対のスリット間の弾性変位
可能な弾性舌片が折り曲げられて該キャップ内に延ばされており、キャップをホルダ本体
に被せてフック孔をフック部に嵌合させると共に、弾性舌片を該ホルダ本体の頂面に弾性
的に押しつけることにより、キャップがホルダ本体に係止されていることを特徴としてい
る。
【００１０】
請求項４に記載の発明は、ディスクの半径方向に沿って移動可能なスライドベースに対
物レンズとレーザダイオードとを備えた光ピックアップが設けられ、球面収差補正機構に
より往復移動される球面収差補正レンズが前記対物レンズとレーザダイオードとの間に配
置されており、前記レーザダイオードから球面収差補正レンズ及び対物レンズを通る光軸
に沿ってレーザ光をディスクに投射すると共に、球面収差補正機構により球面収差補正レ
ンズを光軸に沿って往復移動させて球面収差を補正し、ディスクからの反射光に基づいて
該ディスクに記録されている情報を読み取るようにしたディスク装置において、前記球面
収差補正機構が、光軸に対して平行するガイドロッド及びガイド孔を有し前記スライドベ
ースに固定されたベース板と、球面収差補正レンズを支持するためのレンズホルダと、モ
ータにより正逆回転されるリードスクリュ−に螺合した状態で前記ガイド孔に係合するリ
ードナットとを有し、前記レンズホルダが、ガイドロッドに移動可能に嵌合するブロック
状ホルダ本体と、該ホルダ本体から両側方に延びる一対の翼板とを有し、その一方の翼板
に前記球面収差補正レンズが取り付けられると共に、その他方の翼板が前記リードナット
に対向され、前記ガイドロッドに遊嵌合して前記レンズホルダをリードナットに押し付け
るコイルばね製スラスト与圧ばねが設けられ、頂板と該頂板の側縁から折り曲げた複数の
弾性変位可能な側板とからなるキャップと、該キャップから側方に延びる弾性変位可能な
弾性アームとを有する板ばね製ラジアル与圧ばねが設けられ、前記ホルダ本体の側面にフ
ック部が一体突設されると共に、該フック部に対向して前記キャップの側板にフック孔が
貫設され、前記キャップの頂板に所定間隔をおいて形成した一対のスリット間の弾性変位
可能な弾性舌片が折り曲げられて該キャップ内に延ばされており、キャップをホルダ本体
に被せてフック孔をフック部に嵌合させると共に、弾性舌片を該ホルダ本体の頂面に弾性
的に押し付けることにより、キャップがホルダ本体に係止され、ラジアル与圧ばねの弾性
アームをホルダ本体とリードナットとに弾性的に押し付けることにより、該リードナット
をガイド孔の内側面に押し付けると同時にレンズホルダをガイドロッドに押し付け、前記
モータでリードスクリュ−を正逆回転させることによりリードナット及びレンズホルダを
介して球面収差補正レンズを光軸に沿って往復移動させるようにしたことを特徴としてい
る。
【発明の効果】
【００１１】
請求項１に記載の発明によれば、モータでリードスクリュ−を正逆回転させることによ
りリードナット及びレンズホルダを介して球面収差補正レンズを光軸に沿って往復移動さ
せる際に、スラスト与圧ばねでレンズホルダをリードナットに押し付けることにより、ス
ラスト方向に沿ってリードスクリュ−とリードナットとの間の隙間による遊びを実質的に
ゼロにすると共に、ラジアル与圧ばねでリードナットをガイド孔の内側面に押し付けると
同時にレンズホルダをガイドロッドに押し付けることにより、ラジアル方向に沿ってリー
ドスクリュ−とリードナットとの間の隙間及びレンズホルダとガイドロッドとの間の隙間
による遊びを実質的にゼロにしているので、モータの正逆駆動力がレンズホルダに直接に
伝達されてタイムラグが発生せず、レンズホルダの位置精度を向上させ、ディスクの記録
面間のジャンプを高速で行なって球面収差の補正を効率良く行なうことができる。
【００１２】
請求項２に記載の発明によれば、板ばね製ラジアル与圧ばねのキャップをホルダ本体に
被せるだけで、該キャップから側方に延びる弾性アームをレンズホルダとリードナットに
弾性的に押し付けて、ラジアル方向に沿ってリードスクリュ−とリードナットとの間の隙
間及びレンズホルダとガイドロッドとの間の隙間による遊びを実質的にゼロすることがで
きる。
【００１３】
請求項３に記載の発明によれば、キャップのフック孔をホルダ本体のフック部に嵌合さ
せると共に、該キャップの弾性舌片をホルダ本体の頂面に弾性的に押し付けることにより
、ラジアル与圧ばねをレンズホルダに確実に取り付けることができると共に、該ラジアル
与圧ばね３１の弾性アームをレンズホルダとリードナットに所望通りに押し付けることが
できる。
【００１４】
請求項４に記載の発明は実施の一形態（図１〜図７参照）に対応するものであって、こ
れによれば、モータでリードスクリュ−を正逆回転させることによりリードナット及びレ
ンズホルダを介して球面収差補正レンズを光軸に沿って往復移動させる際に、コイルばね
からなるスラスト与圧ばねでレンズホルダをリードナットに押し付けることにより、スラ
スト方向に沿ってリードスクリュ−とリードナットとの間の隙間による遊びを実質的にゼ
ロにすると共に、板ばねからなるラジアル与圧ばねでリードナットをガイド孔の内側面に
押し付けると同時にレンズホルダをガイドロッドに押し付けることにより、ラジアル方向
に沿ってリードスクリュ−とリードナットとの間の隙間及びレンズホルダとガイドロッド
との間の隙間による遊びを実質的にゼロにしているので、モータの正逆駆動力がレンズホ
ルダに直接に伝達されてタイムラグが発生せず、レンズホルダの位置精度を向上させ、デ
ィスクの記録面間のジャンプを高速で行なって球面収差の補正を効率良く行なうことがで
きる。
【００１５】
前記ラジアル与圧ばねのキャップをホルダ本体に被せるだけで、該キャップのフック孔
をホルダ本体のフック部に嵌合させると共に、そのキャップの弾性舌片をホルダ本体の頂
面に弾性的に押しつけて、該ラジアル与圧ばねをレンズホルダに確実に取り付けることが
できると共に、そのラジアル与圧ばねの弾性アームをレンズホルダとリードナットとに所
望通りに押し付けることができる。
【発明を実施するための最良の形態】
【００１６】
図１〜図７は本発明の実施の一形態であるディスク装置を示すものであって、図１は同
多数のレンズ群のうちの要部だけを示した概略図、図２は同球面収差補正機構の底面図、
図３は同球面収差補正機構の平面図、図４は図２のＡ−Ａ矢視図、図５は同要部の分解斜
視図、図６は同別の角度から見た要部の分解斜視図、図７は図２のＢ−Ｂ線に沿う拡大横
断面図である。
【００１７】
図１〜図４に示すように、対物レンズＯＬとレーザダイオードＬＤとの間に配置したエ
キスパンダレンズまたはコリメータレンズからなる球面収差補正レンズ４を往復移動させ
る球面収差補正機構３が、ベース板１５と、レンズホルダ１６と、リードナット１７とを
有している。上記以外の構成で図８に示す構成と同じ部分に同じ符号を付してその説明を
省略する。
【００１８】
前記ベース板１５は、金属板からなり、図２に示すように、該ベース板１５の両端に貫
設した貫通孔１９を通ってビス２０をスライドベース１のねじ孔にねじ込むことにより、
そのベース板１５がスライドベース１に固定されている。
【００１９】
図２に示すように、前記ベース板１５の中央両側に一体突設した２つの受台１５ａにガ
イドロッド２１の両端を当接させ、その各受台１５ａに接近してベース板１５に貫設した
ねじ孔１５ｂにビス２２をねじ込んで該各ビス２２の頭部をガイドロッド２１の両端に押
し付けることにより、そのガイドロッド２１がベース板１５のほぼ中央に光軸Ｏに対して
平行して固定されている。
【００２０】
図２に示すように、補助ロッド２３がベース板１５の一端にガイドロッド２１に対して
平行して固定されており、その固定手順はガイドロッド２１とほぼ同じであるから、同一
部分に同一符号を付してその説明を省略する。
【００２１】
図２及び図３に示すように、ベース板１５のガイドロッド２１と補助ロッド２３との間
に光軸Ｏに対して平行する長孔状ガイド孔２４が貫設されている。
【００２２】
図２〜図６に示すように、前記レンズホルダ１６は、矩形ブロック状ホルダ本体１６ａ
と、該ホルダ本体１６ａから両側方に延びる一対の翼板１６ｂ，１６ｃとを有し、ホルダ
本体１６ａに貫設したホルダ孔２６がガイドロッド２１に移動可能に嵌合され、一方の翼
板１６ｂに球面収差補正レンズ４が取り付けられ、他方の翼板１６ｃがリードナット１７
に対向されている。
【００２３】
図２〜図５に示すように、前記リードナット１７は、円形ナット本体１７ａと、該ナッ
ト本体１７ａに一体突設された回り止めロッド１７ｂとを有し、前記ナット本体１７ａは
、ベース板１５に固定したステッピングモータ（モータ）２５により正逆回転されるリー
ドスクリュ−２７に螺合され、前記回り止めロッド１７ｂの先端が前記ガイド孔２４内に
嵌入されている。図２及び図７に示すように、リードナット１７とリードスクリュ−２７
との間にスラスト方向Ｙ及びラジアル方向Ｘに沿ってわずかな隙間（図示せず）を形成す
ると共に、回り止めロッド１７ｂの先端とガイド孔２４の内周面２４ａとの間及びホルダ
孔２６とガイドロッド２１との間に誇張して示すようにわずかな隙間αを形成することに
より、リードナット１７及びレンズホルダ１６が一体になって円滑に往復移動されるよう
にしている。図４に示すように、前記他方の翼板１６ｃの中央に形成した凹部２８が隙間
をおいてリードスクリュ−２７に遊嵌合されると共に、その他方の翼板１６ｃの先端に形
成したＵ字溝２９が補助ロッド２３に移動可能に嵌合されている。
【００２４】
図２、図５及び図６に示すように、板ばねからなるラジアル与圧ばね３１が設けられて
おり、これは、矩形状頂板３１ａと該頂板３１ａの側縁から直角に折り曲げた複数（この
実施の形態では２枚）の弾性変位可能な一対の側板３１ｂ，３１ｃとを有するキャップ３
１Ａと、該キャップ３１Ａのリードナット対向縁から側方に延びる弾性変位可能な弾性ア
ーム３１Ｂとを有し、ホルダ本体１６ａの側面にフック部３２が一体突設されると共に、
該フック部３２に対向して一方の側板３１ｂにフック孔３３が貫設され、頂板３１ａに所
定間隔をおいて形成した一対のスリット間の弾性変位可能な弾性舌片３４が折り曲げられ
てキャップ３１Ａ内に延ばされている。なお、他方の側板３１ｃにホルダ本体１６ａのホ
ルダ孔２６よりも大径でそのホルダ孔２６と同心状に位置決めされる大径孔３５が形成さ
れている。
【００２５】
ラジアル与圧ばね３１の取付手順を説明すると、キャップ３１Ａをホルダ本体１６ａに
被せてフック孔３３をフック部３２に嵌合させると共に、弾性舌片３４を該ホルダ本体１
６ａの頂面に弾性的に押し付けることにより、キャップ３１Ａがホルダ本体１６ａに係止
され、これによって、図７に示すように、弾性アーム３１Ｂの基端部３１ｄをホルダ本体
１６ａのリードナット対向面に弾性的に押し付けると共に、該弾性アーム３１Ｂの先端部
３１ｅをリードナット１７の回り止めロッド１７ｂに弾性的に押し付け、その押付力Ｆａ
，Ｆｂにより回り止めロッド１７ｂの先端をガイド孔２４の内周面２４ａに押し付けると
同時にレンズホルダ１６をガイドロッド２１に押し付けている。
【００２６】
上記構成によれば、ラジアル与圧ばね３１をホルダ本体１６ａに確実に取り付けること
ができると共に、該ラジアル与圧ばね３１の弾性アーム３１Ｂをレンズホルダ１６とリー
ドナット１７とに所望通りに押し付けることができる。
【００２７】
図２及び図５に示すように、コイルばねからなるスラスト与圧ばね３６がホルダ本体１
６ａに被せたキャップ３１Ａの他方側板３１ｃと受台１５ａとの間でガイドロッド２１に
移動可能に嵌合されており、レンズホルダ１６の他方の翼板１６ｃをリードナット１７に
押し付けている。
【００２８】
上記構成によれば、ステッピングモータ２５でリードスクリュ−２７を正逆回転させる
ことによりリードナット１７及びレンズホルダ１６を介して球面収差補正レンズ４を光軸
Ｏに沿って往復移動させる際に、スラスト与圧ばね３６でレンズホルダ１６をリードナッ
ト１７に押し付けることにより、スラスト方向Ｙに沿ってリードスクリュ−２７とリード
ナット１７との間の隙間による遊びを実質的にゼロにしている。また、ラジアル与圧ばね
３１でリードナット１７をガイド孔２４の内周面２４ａに押し付けると同時にレンズホル
ダ１６をガイドロッド２１に押し付けることにより、ラジアル方向Ｘに沿ってリードスク
リュ−２７とリードナット１７との間の隙間及びレンズホルダ１６とガイドロッド２１と
の間の隙間による遊びを実質的にゼロにしている。従って、ステッピングモータ２５の正
逆駆動力がレンズホルダ１６に直接に伝達されてタイムラグが発生せず、レンズホルダ１
６の位置精度を向上させ、ディスクＤの記録面間のジャンプを高速で行なって球面収差の
補正を効率良く行なうことができる。
【図面の簡単な説明】
【００２９】
【図１】本発明の実施の一形態であるディスク装置における多数のレンズ群のうちの要部だけを示した概略図である。
【図２】同球面収差補正機構の底面図である。
【図３】同球面収差補正機構の平面図である。
【図４】図２のＡ−Ａ矢視図である。
【図５】同要部の分解斜視図である。
【図６】同別の角度から見た要部の分解斜視図である。
【図７】図２のＢ−Ｂ線に沿う拡大横断面図である。
【図８】（ａ）は従来例における多数のレンズ群のうちの要部だけを示した概略図、（ｂ）はＣ−Ｃ矢視図である。
【符号の説明】
【００３０】
１              スライドベース
２              光ピックアップ
３              球面収差補正機構
４              球面収差補正レンズ
１５            ベース板
１６            レンズホルダ
１６ａ          ホルダ本体
１６ｂ，１６ｃ  翼板
１７            リードナット
２１            ガイドロッド
２４            ガイド孔
２５            ステッピングモータ（モータ）
２７            リードスクリュ−
３１            ラジアル与圧ばね
３１Ａ          ラジアル与圧ばねのキャップ
３１Ｂ          ラジアル与圧ばねの弾性アーム
３１ａ          キャップの頂板
３１ｂ，３１ｃ  キャップの側板
３２            フック部
３３            フック孔
３４            弾性舌片
３６            スラスト与圧ばね
Ｄ              ディスク
ＯＬ            対物レンズ
ＬＤ            レーザダイオード
Ｏ              光軸
Ｘ              ラジアル方向
Ｙ              スラスト方向
【図１】
2008257824.tif 000003
【図２】
2008257824.tif 000004
【図３】
2008257824.tif 000005
【図４】
2008257824.tif 000006
【図５】
2008257824.tif 000007
【図６】
2008257824.tif 000008
【図７】
2008257824.tif 000009
【図８】
2008257824.tif 000010